(57)【要約】【課題】記録媒体の除去を良好に行うことが可能な記録装置を提供する。【解決手段】開口部分２１を備える筐体２０と、筐体２０のうち開口部分２１に対して対向配置されると共に、開口部分２１を開閉させることが可能な開閉カバー３０と、筐体２０の内部に設けられ、駆動手段の駆動によって所定の走査方向に移動させられるキャリッジ４１と、筐体２０の外部に設けられるインク収容部６０からキャリッジ４１に向けてインクを供給するインクチューブ５０と、開閉カバー３０のうち開口部分２１に対向する側に設けられると共に、キャリッジ４１の所定の走査方向に伴って可動するチューブ可動部を少なくとも残す状態でインクチューブ５０の一部を支持する支持部材７０と、を具備している。【選択図】図１
2013202790.tif 000002
【特許請求の範囲】
【請求項１】
開口部分を備える筐体と、
前記筐体のうち前記開口部分に対して対向配置されると共に、前記開口部分を開閉させることが可能な開閉カバーと、
前記筐体の内部に設けられ、インクを被記録媒体に吐出する記録ヘッドを備えて所定の走査方向に移動するキャリッジと、
インクが収容されたインク収容部から送られるインクを前記記録ヘッドへ導き、前記キャリッジの移動に伴って追従変形する可動部を有するインクチューブと、
前記開閉カバーのうち前記開口部分に対向する側に設けられると共に、前記インクチューブの可動部から前記インク収容部の間の一部で前記インクチューブを支持する支持部材と、
を具備することを特徴とする記録装置。
【請求項２】
請求項１記載の記録装置であって、
前記支持部材は、前記開閉カバーが閉状態において、前記キャリッジの前記所定の走査方向における移動において前記開閉カバーと対向可能な部位に設けられている、
ことを特徴とする記録装置。
【請求項３】
請求項１記載の記録装置であって、
前記記録ヘッドにより記録が行われた被記録媒体が排出される排出口が前記筐体に設けられ、
前記開閉カバーは、前記キャリッジが移動する領域を挟んで前記排出口とは反対側の前記筐体の端部側に設けられ、
前記支持部材は、前記開閉カバーの閉状態において、前記端部側に設けられている、
ことを特徴とする記録装置。
【請求項４】
請求項１記載の記録装置であって、
前記記録ヘッドにより記録が行われた被記録媒体が排出される排出口が前記筐体に設けられ、
前記開閉カバーは、前記キャリッジが移動する領域を挟んで前記排出口とは反対側の前記筐体の端部側に設けられ、
前記支持部材は、前記開閉カバーが閉状態において、前記排出口側に設けられている、
ことを特徴とする記録装置。
【請求項５】
請求項１から４のいずれか１項に記載の記録装置であって、
前記インクチューブは、前記キャリッジの前記所定の走査方向に沿う移動を可能とする第１の余裕部分に加えて、前記開閉カバーが開き状態となるのを許容する第２の余裕部分を有する長さに設けられている、
ことを特徴とする記録装置。
【請求項６】
請求項５記載の記録装置であって、
前記キャリッジのうち前記開口部分とは反対側の部位には記録ヘッドが設けられていて、この記録ヘッドでの前記インクの噴射によって記録媒体に記録画像を形成可能としていると共に、
前記開閉カバーを閉じた状態において、前記インクチューブのうち前記記録媒体に向かう方向の長さは、当該インクチューブから前記記録媒体までの間の距離よりも短くなる程度に設けられている、
ことを特徴とする記録装置。
【請求項７】
請求項１から４のいずれか１項に記載の記録装置であって、
前記支持部材は、前記インクチューブを前記開閉カバーに吊り下げる掛け止め部材である、
ことを特徴とする記録装置。
【請求項８】
請求項１から４のいずれか１項に記載の記録装置であって、
前記支持部材は、前記インクチューブを前記開閉カバーに固定する固定部材である、
ことを特徴とする記録装置。
【発明の詳細な説明】
【技術分野】
【０００１】
本発明は、記録装置に関する。
【背景技術】
【０００２】
記録装置の中には、たとえば特許文献１および特許文献２に示すように、インクを蓄える外部タンクを用いて、記録装置が備える記録ヘッドにインクを供給するものがある。このような記録装置においては、記録装置の筐体の外部に外部タンクを設置し、その外部タンクから、筐体内部に存在する記録ヘッドにインクチューブを介してインクを供給可能としている。
【先行技術文献】
【特許文献】
【０００３】
【特許文献１】中華人民共和国実用新案公告ＣＮ２８２５２８９Ｙ号
【特許文献２】中華民国専利公報公告５３８９０９号
【発明の概要】
【発明が解決しようとする課題】
【０００４】
特許文献１および特許文献２に開示の構成においては、インクチューブのうちキャリッジに取り付けられている近傍には、キャリッジから離れる側に向かう部分と、大きく湾曲して向きを変えている湾曲部分が存在する。これらの部分は、キャリッジの主走査方向に移動に応じて長さが変わる。ここで、記録用紙が搬送経路の途中にて詰まる等し、その記録用紙を除去する必要がある場合には、ユーザーはインクチューブを避けながら手を搬送経路に差し込む等しなければならない。その場合、特許文献１および特許文献２に示す構成では、インクチューブが記録用紙の除去の際に邪魔になる。
【０００５】
本発明は上記の事情にもとづきなされたもので、その目的とするところは、記録媒体の除去を良好に行うことが可能な記録装置を提供しよう、とするものである。
【課題を解決するための手段】
【０００６】
上記課題を解決するために、本発明の記録装置は、開口部分を備える筐体と、筐体のうち開口部分に対して対向配置されると共に、開口部分を開閉させることが可能な開閉カバーと、筐体の内部に設けられ、インクを被記録媒体に吐出する記録ヘッドを備えて所定の走査方向に移動するキャリッジと、インクが収容されたインク収容部から送られるインクを記録ヘッドへ導き、キャリッジの移動に伴って追従変形する可動部を有するインクチューブと、開閉カバーのうち開口部分に対向する側に設けられると共に、インクチューブの可動部からインク収容部の間の一部でインクチューブを支持する支持部材と、を具備することを特徴としている。
【０００７】
このように構成する場合には、インクチューブの一部は、支持部材によって開閉カバーに支持される状態となる。そのため、開閉カバーを開いて開き状態とすると、その開閉カバーの開きに連動してインクチューブが移動させられる。そのため、インクチューブは、筐体の内部から開閉カバー側に移動させられ、その移動により開閉カバーの閉じ状態ではインクチューブが位置していたスペースが大きく空く状態となる。そして、筐体の内部で詰まった記録媒体を除去する際に、インクチューブの位置していたスペースが空くことにより、インクチューブが記録媒体の除去に際して邪魔になるのを防止可能となる。それにより、記録媒体を容易に除去することが可能となり、記録装置のメンテナンス性を向上させることが可能となる。
【０００８】
また、本発明の他の側面は、上述の発明において、支持部材は、開閉カバーが閉状態において、キャリッジの所定の走査方向における移動において開閉カバーと対向可能な部位に設けられている、ことが好ましい。
【０００９】
このように構成する場合には、インクチューブがキャリッジに取り付けられる部位を、記録媒体の搬送方向において同等の位置とすることが可能となる。それにより、開閉カバーを閉じた場合でも、インクチューブが捻じれてしまうのを防止可能となる。また、開閉カバーのうち回動の支点から離れた部位でインクチューブが支持される場合と比較して、インクチューブのうち開閉カバーの開きに必要とされる長さを短くすることが可能となる。
【００１０】
さらに、本発明の他の側面は、上述の発明において、記録ヘッドにより記録が行われた被記録媒体が排出される排出口が筐体に設けられ、開閉カバーは、キャリッジが移動する領域を挟んで排出口とは反対側の筐体の端部側に設けられ、支持部材は、開閉カバーの閉状態において、端部側に設けられている、ことが好ましい。
【００１１】
このように構成する場合には、支持部材は、排出口とは反対側の筐体の端部側に設けられているため、排出口側でインクチューブが支持される場合と比較して、インクチューブのうち開閉カバーの開きに必要とされる長さを短くすることが可能となる。
【００１２】
また、本発明の他の側面は、上述の発明において、記録ヘッドにより記録が行われた被記録媒体が排出される排出口が前記筐体に設けられ、開閉カバーは、キャリッジが移動する領域を挟んで排出口とは反対側の筐体の端部側に設けられ、支持部材は、開閉カバーが閉状態において、排出口側に設けられている、ことが好ましい。
【００１３】
このように構成する場合には、支持部材は、筐体のうち排出口側に設けられている。ここで、開閉カバーを閉じている場合には、インクチューブは、筐体のうち排出口側に位置することになるが、開閉カバーを開く場合には、筐体の内部において排出口側のスペースを空けることが可能となる。それにより、ユーザーの手を差し込み易い部位である排出口側のスペースを空けることが可能となり、筐体の内部で詰まった記録媒体の除去性を向上させることが可能となる。
【００１４】
また、本発明の他の側面は、上述の発明において、インクチューブは、キャリッジの所定の走査方向に沿う移動を可能とする第１の余裕部分に加えて、開閉カバーが開き状態となるのを許容する第２の余裕部分を有する長さに設けられている、ことが好ましい。
【００１５】
このように構成する場合には、インクチューブには第２の余裕部分が存在するため、インクチューブの長さ的な制限で開閉カバーの開き角度が本来の開き角度よりも狭くなるのを防止することが可能となる。
【００１６】
さらに、本発明の他の側面は、上述の発明において、キャリッジのうち開口部分とは反対側の部位には記録ヘッドが設けられていて、この記録ヘッドでのインクの噴射によって記録媒体に記録画像を形成可能としていると共に、開閉カバーを閉じた状態において、インクチューブのうち記録媒体に向かう方向の長さは、当該インクチューブから記録媒体までの間の距離よりも短くなる程度に設けられている、ことが好ましい。
【００１７】
このように構成する場合には、開閉カバーを閉じた状態においても、インクチューブのうち記録媒体に向かう方向の長さは、そのインクチューブから記録媒体までの間の距離よりも短くなる程度に設けられているため、開閉カバーを閉じた際にインクチューブが記録媒体に接触するのを防止可能となる。
【００１８】
また、本発明の他の側面は、上述の発明において、支持部材は、インクチューブを開閉カバーに吊り下げる掛け止め部材である、ことが好ましい。
【００１９】
このように構成する場合には、インクチューブは、掛け止め部材を介して開閉カバーに吊り下げられるが、掛け止め部材ではインクチューブは移動不能には固定されずに吊り下げられているため、インクチューブの移動が許容される。それにより、開閉カバーの開閉等においてインクチューブの配置の自由度を向上させることが可能となる。
【００２０】
さらに、本発明の他の側面は、上述の発明において、支持部材は、インクチューブを開閉カバーに固定する固定部材である、ことが好ましい。
【００２１】
このように構成する場合には、インクチューブは、固定部材を介して開閉カバーに固定される。それにより、インクチューブは、開閉カバーを閉じた場合でも筐体内部で不必要に移動するのを防止可能となり、インクチューブの筐体内部での長さの変動によってインクチューブが記録媒体に接触するのを防ぐことが可能となる。
【図面の簡単な説明】
【００２２】
【図１】開閉カバーを閉じた場合のインクチューブの形態を示す概略図である。
【図２】開閉カバーを開いた場合のインクチューブの形態を示す概略図である。
【図３】インクチューブの構成を示す部分的な斜視図である。
【図４】インクチューブの構成を示す部分的な斜視図である。
【図５】掛け止め部材でインクチューブを支持している状態を示す側断面図である。
【図６】固定部材でインクチューブを支持している状態を示す側断面図である。
【図７】従来のインクチューブの長さを示す概略図である。
【図８】開閉カバーの開きに対応したインクチューブの長さを示す概略図である。
【図９】搬送方向の上流側でのインクチューブの支持状態を示す側断面図である。
【図１０】キャリッジの上部でのインクチューブの支持状態を示す側断面図である。
【図１１】搬送方向の下流側でのインクチューブの支持状態を示す側断面図である。
【図１２】内方突出部でインクチューブが支持される状態を示す図である。
【図１３】インクチューブが隙間部分から導出される状態を示す概略図である。
【図１４】スキャナーユニットを備える記録装置の構成を示す斜視図である。
【図１５】スキャナーユニットを開いた状態の記録装置の構成を示す斜視図である。
【図１６】スキャナーユニットを取り除いた状態の記録装置を示す側面図である。
【図１７】スキャナーユニットを備えない記録装置の構成を示す斜視図である。
【発明を実施するための形態】
【００２３】
以下、本発明の一実施の形態に係る記録装置１０について、図面を参照しながら説明する。なお、以下で述べる記録用紙Ｐは、記録媒体の一例に対応するが、たとえばフィルム状部材のような記録用紙Ｐ以外の記録対象物を記録媒体としても良い。
【００２４】
＜１．概要＞
本発明は、記録装置１０において、外部タンク６０に接続されるインクチューブ５０の配置形態に関するものである。以下、そのインクチューブ５０の配置形態に関して、他の形態も含めて順次説明する。なお、以下の発明においては、ＸＹＺ直交座標系を設定して説明する場合があるものの、その中でキャリッジ４１が移動する（走査する）方向をＸ方向とし、記録装置１０の設置面から離間する方向（上下方向）をＺ方向とし、Ｘ方向およびＺ方向と直交する方向（副走査方向）をＹ方向とする。また、主走査方向（Ｘ方向）のうち図１の紙面における左側をＸ１側とし、右側をＸ２側とする。また、搬送方向（Ｙ方向）のうち図９の紙面における右側をＹ１側とし、左側をＹ２側とする。また、上下方向（Ｚ方向）のうち図１の紙面における上側（奥側）をＺ１側とし、下側（手前側）をＺ２側とする。
【００２５】
（インクチューブの配置形態について）
図１は本発明の概要に関する記録装置１０のうち、要部を示す概略図であり、開閉カバー３０を閉じた場合のインクチューブ５０の形態を示す図であり、図２は開閉カバー３０を開いた場合のインクチューブ５０の形態を示す図である。記録装置１０は筐体２０と、開閉カバー３０と、キャリッジ機構４０と、インクチューブ５０とを備えている。また、記録装置１０は、これらの他に、外部タンク６０を備える構成としても良いが、外部タンク６０を備えない構成としても良い。筐体２０には、その上方側に開口部分２１が設けられている。開口部分２１は、図１では筐体２０の上面側に位置し、その筐体２０の上面側の一部または全部を切り欠いた部分である。なお、開口部分２１が筐体２０の上面側の一部を切り欠いて構成される場合には、後述するように、キャリッジ４１が主走査方向（Ｘ方向）のいずれの部位に位置する場合であっても、インクチューブ５０が開閉カバー３０に向かって延出するのを妨げないことが必要となる。
【００２６】
筐体２０は、外装パネル、フレーム部材等から構成される部分であり、この筐体２０の各部位によって、当該筐体２０の内部または外部に存在する記録装置１０の各部位が支持される。
【００２７】
また、開閉カバー３０は、上述した筐体２０の開口部分２１を外部から閉塞し、当該開口部分２１から筐体２０の内部に塵埃が入り込まないようにするための部材である。この開閉カバー３０は、筐体２０の背面側の部位において、たとえば回動部材３１を介して回動可能に設けられている。なお、回動部材３１としては、ヒンジ機構、回転軸および軸受のセット等が代表例として挙げられる。また、記録装置１０は、開閉カバー３０を開き状態として、開口部分２１を介して筐体２０の内部が外部から見える状態において、その開き状態を維持するための姿勢維持機構を備えるようにしても良い。姿勢維持機構としては、アーム状の部材で支持する機構としても良く、ドアクローザー（またはドアチェック）に類する全開時または半開時の姿勢を維持する機構としても良い。また、開閉カバー３０を開いたときに、その開き角度が鉛直となる角度を超える場合には、その開閉カバー３０の自重によって開き状態が維持される構成としても良い。
【００２８】
また、筐体２０の内部には、キャリッジ４１を備えるキャリッジ機構４０が設けられている。キャリッジ４１は、キャリッジモーター（図示省略；駆動手段に対応）の駆動により、キャリッジ軸４２に沿って主走査方向（Ｘ方向）に移動することを可能としている。なお、キャリッジ４１のうち搬送経路に対向する側には、記録ヘッド４３が取り付けられていて、この記録ヘッド４３からインクを噴射して、記録用紙Ｐに記録画像を形成することを可能としている。
【００２９】
キャリッジ４１には、アダプターＡＰを介してインクチューブ５０の一端側が取り付けられている。このインクチューブ５０の他端側は、筐体２０の外部にある外部タンク６０に接続されている。そして、外部タンク６０からインクチューブ５０およびアダプターＡＰを介して、記録ヘッド４３にインクを供給することを可能としている。なお、キャリッジ４１の中には、メモリーを備えるインクカートリッジを搭載するタイプが存在する。この場合、キャリッジ４１にはメモリーの情報を読み取る接続部が設けられることになるが、そのような接続部に対して、電気的に接続される部分（アダプター側接続部）がアダプターＡＰに設けられる構成としても良い。その場合においては、アダプター側接続部と接続部との間で信号の送受信を行うことにより、記録ヘッド４３が正常に作動する状態とすることが可能である。
【００３０】
また、インクチューブ５０は、図３に示すように、それぞれの種類のインクを導通させるチューブ部分５１が並んで連結される構成となっている。図３に示す構成では、並べられている複数のチューブ部分５１が一体化された構成となっている。しかしながら、それぞれのチューブ部分５１が連結されずに自由に移動可能な構成としても良い。また、図１に示す記録装置１０においては、インクチューブ５０は、図３に示すように、副走査方向（Ｙ方向）が幅広となると共に、主走査方向（Ｘ方向）と上下方向（Ｚ方向）とがなす平面（ＸＺ平面）において曲線を描くように湾曲させられている。
【００３１】
しかしながら、インクチューブ５０は、図４に示すように、上下方向（Ｚ方向）が幅広となると共に、主走査方向（Ｘ方向）と副走査方向（Ｙ方向）とがなす平面（ＸＹ平面）において曲線を描くように湾曲させられていても良い。ただし、図４に示す場合には、インクチューブ５０のうち後述する支持部材７０で支持される部分では、図３に示すように副走査方向（Ｙ方向）が幅広となるようにインクチューブ５０が捩じられる場合が多い。しかしながら、インクチューブ５０を上述のように捩じらずに、幅広となる向きが上下方向（Ｚ方向）となる状態を維持したまま、インクチューブ５０を支持部材７０で支持するようにしても良い。
【００３２】
また、インクチューブ５０においては、チューブ部分５１の並びの方向が、当該チューブ部分５１の断面におけるある１つの方向に並ぶものとする以外に、当該断面においてある１つの方向に対して直交する方向にも並べられる配置としても良い。
【００３３】
ところで、キャリッジ４１と外部タンク６０との間を接続するインクチューブ５０は、以下のように配置されている。キャリッジ４１からインクチューブ５０に沿って進行する場合、図１および図２に示すように、キャリッジ４１から主走査方向（Ｘ方向）における一方側（Ｘ１側）に向かい延伸するインクチューブ５０は、所定だけ一方側（Ｘ１側）に向かって進行した後に、湾曲部５０１を経て延伸する向きが逆転させられる。それにより、インクチューブ５０に沿って進行すると、主走査方向（Ｘ方向）における他方側（Ｘ２側）に向かって進行することになる。そして所定だけ進行すると、インクチューブ５０は、開閉カバー３０の裏面３０ａに向かうべく、上方側（Ｚ１側）に向かって進行する。
【００３４】
ここで、開閉カバー３０の裏面３０ａでは、支持部材７０によってインクチューブ５０の一部が支持されている。この裏面３０ａの支持部材７０でのインクチューブ５０の支持は、吊り下げでも良いし、固定でも良い。インクチューブ５０を吊り下げる場合には、図５に示すような掛け止め部材７０Ａ（支持部材７０に対応）の囲み空間部分７１にインクチューブ５０が位置し、当該インクチューブ５０は囲み空間部分７１を通って移動自在に設けられる。なお、掛け止め部材７０Ａが形成する囲み空間部分７１は、リング状に完全に閉塞された空間であっても良いが、リング状の一部を切り欠いた構成（例えばフック状）となっていても良く、その切り欠いた部分からインクチューブ５０を挿入可能としていても良い。
【００３５】
また、インクチューブ５０を固定する場合には、図６に示すような固定部材７０Ｂ（支持部材７０に対応）によって、インクチューブ５０の一部が開閉カバー３０の裏面３０ａに固定される。この固定部材７０Ｂとしては、たとえばテープ部材、接着剤、クリップ等、種々の固定のための部材を用いることが可能である。なお、以下の説明においては、掛け止め部材７０Ａおよび固定部材７０Ｂを総称して称呼する場合には、支持部材７０と称呼する。
【００３６】
ここで、インクチューブ５０のうち、支持部材７０よりもキャリッジ４１側の部位は、以下のような長さに設定されている。すなわち、図７に示すように、インクチューブ５０が支持部材７０により支持されない場合には、インクチューブ５０のうち湾曲部５０１の近傍の長さは、キャリッジ４１が主走査方向（Ｘ方向）における一端側（Ｘ１側）と他端側（Ｘ２側）への移動に対応した余裕部分５０３（第１の余裕部分に対応）の長さＬ１以上の長さとなるように設定されている。たとえば、キャリッジ４１から湾曲部５０１に向かうまでのインクチューブ５０の延伸部５０２は、図７においてキャリッジ４１が一端側（Ｘ１側）に位置する場合が最も短く、図７においてキャリッジ４１が他端側（Ｘ２側）に位置する場合が最も長くなっている。そして、インクチューブ５０には、余裕部分５０３として主走査方向の一端側（Ｘ１側）と他端側（Ｘ２側）の差分に近い長さ（長さＬ１）が、キャリッジ４１の主走査方向（Ｘ方向）における移動の際に少なくとも必要となる。
【００３７】
以上が、インクチューブ５０が支持部材７０によって支持されない場合であるが、本発明においては、インクチューブ５０は支持部材７０によって支持されている。そのため、インクチューブ５０は、図８に示すような余裕部分５０３（長さＬ１）に加えて、開閉カバー３０を開いた場合でもその開きを阻害しないだけの余裕部分５０４（第２の余裕部分に対応）が存在している。この余裕部分５０４の存在により、開閉カバー３０を開き状態とすることが可能であり、インクチューブ５０からの張力によって開閉カバー３０の開きが阻害されて、開閉カバー３０を十分に開くことができなかったり、開閉カバー３０が閉じ状態へと戻されるのを防ぐことが可能となる。なお、図８では、インクチューブの余裕部分５０４には、湾曲部５０１よりもキャリッジ４１側の部位の余裕部分５０４Ａと、湾曲部５０１よりも外部タンク６０に向かう側の余裕部分５０４Ｂとが存在している。そして、それら余裕部分５０４Ａと余裕部分５０４Ｂの長さの合計がＬ２以上となるように設けられている。
【００３８】
なお、インクチューブ５０のうち、支持部材７０から外部タンク６０に向かう側では、当該インクチューブ５０のいずれかの部分において、筐体２０の外部へと導出されている。また、余裕部分５０３は、チューブ可動部分に対応する。しかしながら、湾曲部５０１、延伸部５０２、余裕部分５０３、余裕部分５０４のうちの少なくとも１つがチューブ可動部分に対応するものとしても良い。
【００３９】
また、インクチューブ５０が必要以上に長くなると、搬送経路上を搬送される記録用紙Ｐにインクチューブ５０が接触してしまい、記録用紙Ｐへの記録画像の形成に支障をきたす場合がある。そのため、インクチューブ５０の長さは、開閉カバー３０を閉じた状態において、当該インクチューブ５０が記録用紙Ｐに接触しない程度に設けられることが好ましい。特に、余裕部分５０４の長さＬ２のうち、上下方向（Ｚ方向）に沿う成分の長さが、記録用紙Ｐに接触しない程度に設けられることが好ましい。
【００４０】
以上のような構成の記録装置１０では、開閉カバー３０を開いて開き状態とすると、図２に示すように、インクチューブ５０は、支持部材７０によって上方側（Ｚ１側）に持ち上げられる。それにより、開閉カバー３０の開き状態では、インクチューブ５０が下方に位置するのを防止可能となる。従って、インクチューブ５０よりも下方側（Ｚ２側）に位置する記録用紙Ｐの搬送経路において、紙詰まりが発生した場合でも、当該紙詰まりを生じさせている記録用紙Ｐを容易に除去することが可能となる。
【００４１】
（他の形態その１）
なお、本発明の記録装置１０においては、支持部材７０によってインクチューブ５０が支持される部位が、図９に示す部位となるように構成することも可能である。図９では、インクチューブ５０は、キャリッジ４１よりも搬送方向（Ｙ方向）の上流側（Ｙ２側）に位置している。すなわち、支持部材７０は、記録ヘッド４３により記録が行われた記録用紙Ｐ（被記録媒体）が排出される排出口Ｅがある側（Ｙ１側）とは反対側の端部側（Ｙ２）側に設けられている。換言すれば、支持部材７０は、開閉カバー３０の裏面３０ａ側のうち、キャリッジ４１よりも回動部材３１側に偏る位置に設けられていて、この支持部材７０によってインクチューブ５０が支持されている。
【００４２】
ここで、図９から明らかなように、開閉カバー３０においては、回動部材３１に近い側（図９において支持部材７０が位置する側）は、回動部材３１から離れる側（図９における端部Ａ１側）よりも、開閉カバー３０の回動による移動距離が小さくなる。そのため、図９において回動部材３１側に偏っている支持部材７０でインクチューブ５０が支持される場合には、図９においてＡ１側でインクチューブ５０が支持される場合と比較して、上述したインクチューブ５０の余裕部分５０４の長さＬ２を短くすることが可能となる。それにより、開閉カバー３０が閉じている状態においては、インクチューブ５０のうちキャリッジ４１の摺動とは無関係に弛んでいる弛み部分の長さを短くすることが可能となる。
【００４３】
（他の形態その２）
また、図１０に示すような構成としても良い。図１０では、インクチューブ５０は、キャリッジ４１の上方側において、支持部材７０によって支持されている。特に、記録装置１０のうち、スキャナーユニットを搭載しないタイプ（いわゆるシングル機タイプ）では、当該記録装置１０の筐体２０の搬送方向（Ｙ方向）における長さは、スキャナーユニットを搭載しているタイプ（いわゆる複合機タイプ）よりも短くなることが多い。その場合、開閉カバー３０の搬送方向（Ｙ方向）における長さも短くなることが多い。
【００４４】
かかる図１０に示す構成の場合には、開閉カバー３０の回動部材３１は、図９に示す場合よりもキャリッジ４１に近接する状態となる。そのため、図１０に示すような場合には、支持部材７０はキャリッジ４１の上方に設けられ、この支持部材７０によってキャリッジ４１の上方でインクチューブ５０が支持されるように構成しても良い。
【００４５】
このように構成する場合においても、図９に示す場合と同様に、図１０においてＡ１側でインクチューブ５０が支持される場合と比較して、上述したインクチューブ５０の余裕部分の長さＬ２を短くすることが可能となる。それにより、開閉カバー３０が閉じている状態においては、インクチューブ５０のうちキャリッジ４１の摺動とは無関係に弛んでいる弛み部分の長さを短くすることが可能となる。また、キャリッジ４１の上方で支持部材７０によってインクチューブ５０が支持される場合には、インクチューブ５０の搬送方向（Ｙ方向）における取付部位を同等とすることが可能である。それにより、インクチューブ５０が捻じれてしまうのを防止することが可能となる。
【００４６】
（他の形態その３）
また、図１１に示すような構成としても良い。図１１では、インクチューブ５０は、キャリッジ４１よりも搬送方向（Ｙ方向）の下流側（Ｙ１側）に位置している。すなわち、開閉カバー３０が閉状態において、支持部材７０は、記録ヘッド４３により記録が行われた記録用紙Ｐ（被記録媒体）が排出される排出口Ｅがある側（Ｙ１側）に設けられている。換言すれば、支持部材７０は、開閉カバー３０の裏面３０ａ側のうち、キャリッジ４１よりも回動部材３１から遠い側（図１１におけるＡ１側）に偏る位置に設けられていて、この支持部材７０によってインクチューブ５０が支持されている。
【００４７】
かかる図１１に示すように構成しても、インクチューブ５０を支持部材７０によって良好に支持可能である。特に、たとえばインクチューブ５０がキャリッジ４１の正面側（搬送方向の下流側；Ｙ１側）にて接続されている場合には、その接続部位の上方側（Ｚ１側）の部位に支持部材７０が設けられ、この支持部材７０によってインクチューブ５０が支持される構成とすれば、インクチューブ５０のうちキャリッジ４１の摺動とは無関係に弛んでいる弛み部分の長さがさほど長くならずに済む。特に、記録装置１０がスキャナーユニットを搭載しているタイプ（いわゆる複合機タイプ）の場合には、筐体２０のうちキャリッジ４１よりも正面側の部位には、大きなスペースが存在する場合がある。その場合、上述のような大きなスペースを利用して、余裕部分の長さＬ２の分だけ長くなったインクチューブ５０を良好に収納させることが可能となる。なお、スキャナーユニットを搭載しているタイプにおいては、開閉カバー３０は、スキャナーユニットが対応する。
【００４８】
（他の形態その４）
また、図１２に示すように構成しても良い。図１２（Ａ）は記録装置１０の側断面図であり、図１２（Ｂ）は開閉カバー３０を透過して見た状態を示す記録装置１０の平面図である。図１２（Ａ）、（Ｂ）に示す場合には、インクチューブ５０は、支持部材７０から筐体２０の外部に向かう際に、内方突出部３３に沿って延出されている。ここで、内方突出部３３は、開閉カバー３０の裏面３０ａのうち下方側（Ｚ２側）に向かって突出している部分である。たとえば記録装置１０がスキャナーユニットを搭載しているタイプ（いわゆる複合機タイプ）の場合、スキャナーユニットの筐体部分３２には、イメージセンサーを搭載しているセンサーユニットの一部や、そのセンサーユニットに接続されるケーブル等を収納するために、下方側（Ｚ２側）に向かって窪む部分を設ける場合がある。そのような窪み部分の筐体部分３２の外側（下側；Ｚ２側）は図１２（Ａ）に示すような内方突出部３３となる。
【００４９】
そして、この内方突出部３３にインクチューブ５０を沿わせつつ、当該インクチューブ５０を主走査方向（Ｘ方向）に沿うように配置する。このとき、インクチューブ５０は、内方突出部３３に対して、たとえばテープ部材、接着剤、クリップ等の固定部材によって適宜固定するようにしても良い。そして、筐体２０の主走査方向（Ｘ方向）の端部において、筐体２０の内部からインクチューブ５０を筐体２０の外部へと導出させる。なお、この場合において、筐体２０の主走査方向（Ｘ方向）の端部に側壁が存在する場合には、その側壁を切り欠くようにしても良い。
【００５０】
なお、図１２（Ｂ）に示すように、内方突出部３３に対向して、筐体２０の上面側を覆う天板２２が存在する場合には、インクチューブ５０は、その天板２２の存在する部位において、内方突出部３３と対向する部位の天板２２に沿わせつつ、インクチューブ５０を主走査方向（Ｘ方向）に沿うように配置するようにしても良い。また、図１２（Ｂ）に示すように複数の支持部材７０が設けられる場合、当該複数の支持部材７０の一部が内方突出部３３に存在しない構成としても良い。たとえば、図１２における主走査方向（Ｘ方向）において、開閉カバー３０の裏面３０ａのうちＸ２側の部位に内方突出部３３が存在するような場合には、複数の支持部材７０のうちＸ１側の部位に位置するものは内方突出部３３ではない裏面３０ａに設けるようにし、それら以外の支持部材７０を内方突出部３３に設けるように構成しても良い。
【００５１】
（他の形態その５）
また、インクチューブ５０は、支持部材７０から筐体２０の外部に向かう際に、次に述べるような部分を通過するように構成しても良い。図１３は、給紙装置８０を有する記録装置１０について、開閉カバー３０を透過して見た状態を示す平面図である。この図１３に示す記録装置１０は、記録用紙Ｐを筐体２０の内部に供給するための給紙装置８０を備えている。詳細に述べると、筐体２０の背面側（Ｙ２側）には、当該筐体２０の背面側（Ｙ２側）の一部を切り欠いた開口部２３が設けられていて、その開口部２３からは、筐体２０の内部に給紙装置８０から記録用紙Ｐを供給可能となっている。
【００５２】
給紙装置８０は、給紙トレイ８１と分離ローラー８２を備えている。給紙トレイ８１は、記録用紙Ｐを載置して、その記録用紙Ｐを背面側（Ｙ２側）からサポートする部分である。給紙トレイ８１は、単数のトレイ部材８１１から構成されていても良いが、複数のトレイ部材８１１から構成されていても良い。給紙トレイ８１が複数のトレイ部材８１１から構成される場合、それら複数のトレイ部材８１１は、記録用紙Ｐの長さに応じて、引き出しおよび収納可能に設けられている。なお、搬送方向（Ｙ方向）の下流側（Ｙ１側）から上流側（Ｙ２側）に向かうにつれて、トレイ部材８１１の大きさは徐々に小さく設けられており、大きなトレイ部材８１１の内部空間に小さなトレイ部材８１１が収納されるように設けられている。また、給紙トレイ８１の搬送方向（Ｙ方向）における下流側（Ｙ１側）の端部には、分離ローラー８２が設けられている。分離ローラー８２は不図示のモーターによって駆動力が与えられことにより回転させられて、記録用紙Ｐを下流側（Ｙ１側）へ搬送可能としている。
【００５３】
搬送方向（Ｙ方向）において下流側（Ｙ１側）のトレイ部材８１１には、ガイド部材８３が設けられている。ガイド部材８３は、記録用紙Ｐの幅方向の端部の位置をガイドし、記録用紙Ｐが斜めになった状態で搬送されるのを防ぐ等するための部材である。このガイド部材８３には、固定ガイド部材８３ａと、可動ガイド部材８３ｂとが設けられている。固定ガイド部材８３ａは、トレイ部材８１１に対して固定的に設けられていて、主走査方向（Ｘ方向）における位置移動が不能に設けられている。可動ガイド部材８３ｂは、図１におけるガイド溝８４およびトレイ部材８１１の背面側に設けられる不図示のスライドガイドによって、主走査方向（Ｘ方向）に沿って移動することを可能としている。それにより、記録用紙Ｐの幅に応じて一対のガイド部材８３の間の幅を変更させて、記録用紙Ｐが傾くのを防止しつつ筐体２０の内部に送り込むことを可能としている。
【００５４】
このような構成において、インクチューブ５０が支持部材７０から筐体２０の外部に向かう際に、開口部２３の内壁部２３ａとガイド部材８３（固定ガイド部材８３ａと可動ガイド部材８３ｂの少なくとも一方）の側面部で挟まれた隙間部分Ｓに位置するように、インクチューブ５０を配置しても良い。なお、図１３においては、可動ガイド部材８３ｂと内壁部２３ａとの間を隙間部分Ｓ１とし、固定ガイド部材８３ａと内壁部２３ａとの間を隙間部分Ｓ２としている。
【００５５】
このように構成する場合においても、インクチューブ５０を支持部材７０によって支持させて、開閉カバー３０を開く場合にインクチューブ５０を持ち上げるように構成することが可能である。さらに加えて、図１３に示す構成では、隙間部分Ｓ１，Ｓ２を介して、インクチューブ５０を筐体２０の外部に良好に導出させることが可能となる。
【００５６】
以上が本発明の概要であるが、これら上述した図１〜図１３に関する構成同士が組み合わせ可能である場合には、適宜組み合わせる構成とすることが可能である。たとえば、図３におけるインクチューブ５０の配置形態、図４におけるインクチューブ５０の配置形態、図５におけるインクチューブの支持形態、図６におけるインクチューブの支持形態、図９における支持部材７０の開閉カバー３０への取り付け部位、図１０における支持部材７０の開閉カバー３０への取り付け部位、図１１における支持部材７０の開閉カバー３０への取り付け部位、図１２のような内方突出部３３での支持態様、図１３のような隙間部分Ｓ１，Ｓ２からのインクチューブ５０の引き出し、といった各特徴要素の中から、少なくとも１つを、図１（図２）におけるインクチューブ５０の支持に関する構成に適用するようにしても良い。なお、その場合において、インクチューブ５０の長さは、図８に示すような長さに設定されることが好ましい。
【００５７】
＜２．記録装置１０の具体的な構成について＞
以下、記録装置１０の具体的な構成について図１４〜図１７に基づいて説明する。なお、以下においては、図６に基づいて既に説明したように、インクチューブ５０が固定部材７０Ｂによって開閉カバー３０に固定されている場合について説明する。
【００５８】
ただし、インクチューブ５０の支持に関して、図６以外の構成とすることは勿論可能である。換言すると、図１４〜図１７における記録装置１０においては、適宜の変更を加えることにより、図３、図４、図５、図７、図９、図１０、図１１、図１２、図１３におけるインクチューブ５０の支持態様、配置形態、取付態様、および導出に関する構成の中から少なくとも１つを適用することは勿論可能である。
【００５９】
（２−１）スキャナーユニット１２を備える記録装置１０について
図１４は、スキャナーユニット１２を備える記録装置１０の構成を示す斜視図である。また、図１５は、スキャナーユニット１２を開いた状態の構成を示す斜視図である。この記録装置１０は、プリンターユニット１１と、スキャナーユニット１２（開閉カバー３０に対応）と、各駆動部位の制御を司る制御部（図示省略）を備えている。プリンターユニット１１は、上述した図１等における記録装置１０に関する構成が存在する部分であり、筐体２０と、キャリッジ機構４０と、インクチューブ５０とを備えている。また、図１３に示すような給紙装置８０も備えている。筐体２０は、記録装置１０の内部を覆う部分であり、図１５に示すように、筐体２０は天板２２を備えている。そして、インクチューブ５０は、キャリッジ４１への取り付け部位（アダプターＡＰ）から開口部分２１を通過した後に、スキャナーユニット１２（開閉カバー３０）の裏面の固定部材７０Ｂに取り付けられる構成となっている。
【００６０】
図１６は、記録装置１０の側面図であり、スキャナーユニット１２を取り除いた状態の構成を示す図である。この図１６に示すように、記録装置１０の背面側には、給紙装置８０の構成要素となる給紙トレイ８１が設けられている。給紙トレイ８１は、複数（たとえば２〜３つ等）のトレイ部材８１１を引き出し可能としていて、かかるトレイ部材８１１を引き出すことにより、給紙トレイ８１にて記録用紙Ｐを支持可能としている。また、図１４に示すように、記録装置１０には、給紙トレイ８１に近接して、異物受け部材８５が設けられている。図１５においては、トレイ部材８１１が収納されると共に、異物受け部材８５が上述した開口部２３を含む給紙のための開口部分を狭める（塞ぐ場合も含む）ように位置している。なお、異物受け部材８５は、主走査方向（Ｘ方向）の両端側の軸部を介して回動可能に設けられていて、それにより異物受け部材８５は、上述のように開口部分を狭める位置に位置する場合と、開口部分を開放する位置に位置する場合とを切り替え可能としている。
【００６１】
また、図１６に示すように、給紙装置８０は、記録用紙Ｐを給紙トレイ８１（トレイ部材８１１）から供給するための分離ローラー８２を有している。分離ローラー８２は、給紙トレイ８１（トレイ部材８１１）に存在する記録用紙Ｐと接触しつつ回転することにより、接触している最上位の記録用紙Ｐを下流側（Ｙ１側）へ給送する。なお、分離ローラー８２には、不図示の駆動力伝達手段を介して、不図示の駆動モーターの駆動力が与えられ、それによって分離ローラー８２が回転駆動させられる。
【００６２】
また、分離ローラー８２よりも搬送方向（Ｙ方向）における下流側（Ｙ１側）には、給紙ローラー８６ａが設けられている。給紙ローラー８６ａは、給紙従動ローラー８６ｂと対向していて、分離ローラー８２側から供給される記録用紙Ｐを搬送方向（Ｙ方向）における下流側（Ｙ１側）の記録ヘッド４３との対向部位に搬送可能としている。この給紙ローラー８６ａには、不図示の給紙モーターによって駆動力が与えられる。また、給紙ローラー８６ａよりも搬送方向（Ｙ方向）における下流側（Ｙ１側）には、プラテン８７が設けられていて、そのプラテン８７と記録ヘッド４３とが対向可能に設けられている。また、プラテン８７よりも搬送方向（Ｙ方向）における下流側（Ｙ１側）には、排紙ローラー対８８が設けられている。排紙ローラー対８８は、排紙駆動ローラー８８ａと、排紙従動ローラー８８ｂとを具備している。排紙駆動ローラー８８ａは、不図示のモーターによって回転駆動させられる。また、排紙従動ローラー８８ｂは、不図示のバネによって排紙駆動ローラー８８ａに圧接されている。
【００６３】
また、キャリッジ機構４０は、キャリッジ４１と、キャリッジ軸４２と、記録ヘッド４３と、ベルト４４と、従動プーリー４５と、歯車プーリー（図示省略）およびキャリッジモーター（図示省略）を備えている。キャリッジ４１は、上述したアダプターＡＰを取り付け可能に設けられている。また、図１６に示すように、キャリッジ４１の下面には、インク滴を噴射可能な記録ヘッド４３が設けられている。
【００６４】
また、ベルト４４は、無端ベルトであり、その一部がキャリッジ４１の背面に固定されている。このベルト４４は、従動プーリー４５と歯車プーリーとによって張設されている。
【００６５】
また、インクチューブ５０は、図１５および図１６に示す構成では、キャリッジ４１の正面側（記録用紙Ｐの搬送方向の下流側；Ｙ１側）に取り付けられている。しかしながら、インクチューブ５０は、キャリッジ４１の上面側に取り付けられていても良く、キャリッジ４１の背面側に取り付けられていても良く、キャリッジ４１の側面側に取り付けられていても良い。
【００６６】
図１５および図１６に示す構成では、インクチューブ５０は、スキャナーユニット１２（開閉カバー３０）の裏面（図示省略）の固定部材７０Ｂによって支持されている。この固定部材７０Ｂでの支持部位においては、インクチューブ５０は、その幅方向が搬送方向（Ｙ方向）に沿う状態で配置されている。そして、固定部材７０Ｂからインクチューブ５０に沿って外部タンク６０に向かう場合、当該インクチューブ５０は、図１２に示すような内方突出部３３に沿って、筐体２０の外部へと導出される。そして、外部へと導出されたインクチューブ５０は、それぞれのインク色のインクを流通させるチューブ部分５１が１つに束ねられている状態から分離され、チューブ部分５１がそれぞれの色のインクを貯留している外部タンク６０へと接続される。
【００６７】
また、スキャナーユニット１２は、ヒンジ部分を介してプリンターユニット１１に対して開閉可能に設けられている。このスキャナーユニット１２は、不図示の原稿台を具備しており、この原稿台に読取対象物が載置可能となっている。このスキャナーユニット１２は、イメージセンサーを備えるスキャナー用キャリッジと、キャリッジ駆動機構と、各駆動部位の制御を司る制御部等を備えている（いずれも図示省略）。そして、原稿台に載置された読取対象物に対して、制御部での制御によってキャリッジ駆動機構によってスキャナー用キャリッジのイメージセンサーが相対的に移動させられ、それにより読取対象物が読み取られる。
【００６８】
以上のように、図１４〜図１６に示すような記録装置１０においても、スキャナーユニット１２（開閉カバー３０）に、固定部材７０Ｂを介してインクチューブ５０を支持させて、スキャナーユニット１２（開閉カバー３０）を開く場合に、インクチューブ５０を持ち上げる構成とすることが可能となっている。
【００６９】
（２−２）スキャナーユニットを備えない記録装置１０について
図１７は、スキャナーユニットを備えない記録装置１０の構成を示す斜視図である。この記録装置１０は、上述した記録装置１０のプリンターユニット１１に対応する構成を備えている。そのため、各部位の詳細のうち、共通する構成についての説明および図示は省略する。
【００７０】
図１７に示す記録装置１０は、開閉カバー３０を備えていて、この開閉カバー３０を開いた状態では、キャリッジ４１およびインクチューブ５０に手で触れることが可能となっている。
【００７１】
図１７に示す構成では、インクチューブ５０は、キャリッジ４１の上面側に取り付けられている。しかしながら、インクチューブ５０は、キャリッジ４１の正面側（記録用紙Ｐの搬送方向の下流側；Ｙ１側）に取り付けられていても良く、キャリッジ４１の背面側に取り付けられていても良く、キャリッジ４１の側面側に取り付けられていても良い。
【００７２】
このインクチューブ５０の幅方向は、上下方向よりも搬送方向（Ｙ方向）に近い向き（ほとんど搬送方向に沿う場合も含む）に沿って配置されている。ただし、インクチューブ５０の幅方向は、搬送方向（Ｙ方向）よりも上下方向（Ｚ方向）に近い向き（ほとんど上下方向に沿う場合も含む）に沿って配置されていても良い。
【００７３】
図１７に示す構成においても、インクチューブ５０は、開閉カバー３０の裏面３０ａの固定部材７０Ｂによって支持されている。この固定部材７０Ｂでの支持部位においては、インクチューブ５０は、その幅方向が搬送方向（Ｙ方向）に沿う状態で配置されている。そして、固定部材７０Ｂからインクチューブ５０に沿って外部タンク６０に向かう場合、当該インクチューブ５０は、筐体２０の天板２２等のような上面側の覆い部分の上方を通過する。そして、インクチューブ５０は、外部タンク６０の近傍において、それぞれのインク色のインクを流通させるチューブ部分５１が１つに束ねられている状態から分離され、チューブ部分５１がそれぞれの色のインクを貯留している外部タンク６０へと接続される。
【００７４】
以上のように、図１７に示すような記録装置１０においても、開閉カバー３０に、固定部材７０Ｂを介してインクチューブ５０を支持させて、開閉カバー３０を開く場合に、インクチューブ５０を持ち上げる構成とすることが可能となっている。
【００７５】
＜３．効果＞
以上、上述において説明した記録装置１０によると、インクチューブ５０の一部は、支持部材７０によって開閉カバー３０に支持される状態となる。そのため、開閉カバー３０を開いて開き状態とすると、その開閉カバー３０の開きに連動してインクチューブ５０が移動させられる。そのため、インクチューブ５０は、筐体２０の内部から開閉カバー３０側に移動させられ、その移動により開閉カバー３０の閉じ状態ではインクチューブ５０が位置していたスペースが大きく空く状態となる。そして、筐体２０の内部で詰まった記録用紙Ｐを除去する際に、インクチューブ５０の位置していたスペースが空くことにより、インクチューブ５０が記録用紙Ｐの除去に際して邪魔になるのを防止可能となる。それにより、記録用紙Ｐを容易に除去することが可能となり、記録装置１０のメンテナンス性を向上させることが可能となる。
【００７６】
また、本発明の記録装置１０においては、図１０に示すように、キャリッジ４１の上方側において、支持部材７０によってインクチューブ５０を支持するように構成することも可能である。このように構成する場合には、インクチューブ５０がキャリッジ４１に取り付けられる部位を、記録用紙Ｐの搬送方向において同等の位置とすることが可能となる。それにより、開閉カバー３０を閉じた場合でも、インクチューブ５０が捻じれてしまうのを防止可能となる。また、開閉カバー３０のうち回動部材３１から離れた部位でインクチューブ５０が支持される場合と比較して、インクチューブ５０のうち開閉カバー３０の開きに必要とされる長さを短くすることが可能となる。
【００７７】
さらに、本発明の記録装置１０においては、図９に示すように、キャリッジ４１よりも搬送方向（Ｙ方向）の上流側（Ｙ２側）において、支持部材７０によってインクチューブ５０を支持するように構成することも可能である。このように構成する場合には、支持部材７０は、開閉カバー３０のうち回動部材３１に偏っている側に設けられているため、開閉カバー３０のうち回動部材３１から離れる側でインクチューブ５０が支持される場合と比較して、インクチューブ５０のうち開閉カバー３０の開きに必要とされる長さを短くすることが可能となる。
【００７８】
また、本発明の記録装置１０においては、図１１に示すように、キャリッジ４１よりも搬送方向（Ｙ方向）の下流側（Ｙ１側）において、支持部材７０によってインクチューブ５０を支持するように構成することも可能である。このように構成する場合、開閉カバー３０を閉じている場合には、インクチューブ５０は、筐体２０のうち回動部材３１から遠い側に位置することになるが、開閉カバー３０を開く場合には、筐体２０の内部において回動部材３１から遠い側のスペースを空けることが可能となる。それにより、ユーザーの手を差し込み易い部位である回動部材３１から遠い側のスペースを空けて、筐体２０の内部で詰まった記録用紙Ｐの除去性を向上させることが可能となる。
【００７９】
また、図１１に示すような構成の場合、たとえばインクチューブ５０がキャリッジ４１の正面側（搬送方向の下流側；Ｙ１側）にて接続されている場合には、その接続部位の上方側（Ｚ１側）の部位に支持部材７０が設けられ、この支持部材７０によってインクチューブ５０が支持される構成とすれば、インクチューブ５０のうちキャリッジ４１の摺動とは無関係に弛んでいる弛み部分の長さがさほど長くならずに済む。特に、記録装置１０がスキャナーユニットを搭載しているタイプ（いわゆる複合機タイプ）の場合には、筐体２０のうちキャリッジ４１よりも正面側の部位には、大きなスペースが存在する場合があり、そのような大きなスペースを利用して、余裕部分５０４の長さＬ２だけ長くなったインクチューブ５０を良好に収納させることが可能となる。
【００８０】
また、本発明の記録装置１０においては、図５に示すように、支持部材７０として、インクチューブ５０を開閉カバー３０に吊り下げる掛け止め部材７０Ａを用いることが可能である。このように構成する場合には、掛け止め部材７０Ａではインクチューブ５０は移動不能には固定されずに吊り下げられているため、インクチューブ５０の移動が許容される。それにより、開閉カバー３０の開閉等においてインクチューブ５０の配置の自由度を向上させることが可能となる。
【００８１】
さらに、本発明の記録装置１０においては、図６に示すように、支持部材７０として、インクチューブ５０を開閉カバー３０に固定する固定部材７０Ｂを用いることが可能である。このように構成する場合には、インクチューブ５０は、固定部材７０Ｂを介して開閉カバー３０に固定される。それにより、開閉カバー３０を閉じた場合でも、インクチューブ５０が筐体２０の内部で不必要に移動するのを防止可能となり、インクチューブ５０の筐体２０内部での長さの変動によってインクチューブ５０が記録用紙Ｐに接触するのを防ぐことが可能となる。
【００８２】
また、本発明の記録装置１０においては、図８に示すように、インクチューブ５０には、キャリッジ４１の主走査方向（Ｘ方向）に沿う移動を可能とする余裕部分５０３に加えて、開閉カバー３０が開き状態となるのを許容する余裕部分５０４を有する長さに設けられている。このため、インクチューブ５０の長さ的な制限で開閉カバー３０の開き角度が本来の開き角度よりも狭くなるのを防止することが可能となる。
【００８３】
さらに、本発明の記録装置１０においては、開閉カバー３０を閉じた状態において、インクチューブ５０のうち記録用紙Ｐに向かう方向の長さは、当該インクチューブ５０から記録用紙Ｐまでの間の距離よりも短くなる程度に設けることも可能である。このように構成する場合には、開閉カバー３０を閉じた状態においても、インクチューブ５０のうち記録用紙Ｐに向かう方向の長さは、そのインクチューブ５０から記録用紙Ｐまでの間の距離よりも短くなる程度に設けられているため、開閉カバー３０を閉じた際にインクチューブ５０が記録用紙Ｐに接触するのを防止可能となる。
【００８４】
＜４．変形例＞
以上、本発明の一実施の形態について述べたが、本発明は、種々変形可能である。以下、それについて述べる。
【００８５】
（４−１）変形例その１
上述の実施の形態では、インクチューブ５０はアダプターＡＰを介してキャリッジ４１に接続されている。しかしながら、アダプターＡＰによらずにインクチューブ５０がキャリッジ４１に接続される構成を採用しても良い。たとえば、キャリッジ４１にインクカートリッジを搭載する代わりにインクを貯留するサブタンクが設けられている構成においては、サブタンクに対してインクが導通可能な状態にインクチューブ５０を接続するように構成しても良い。
【００８６】
（４−２）変形例その２
また、上述の実施の形態では、記録ヘッド４３は、キャリッジ４１に取り付けられていて、このキャリッジ４１の主走査方向における移動と共に記録ヘッド４３の主走査方向に沿って移動するものとなっている。しかしながら、記録ヘッド４３は、たとえば記録用紙Ｐの幅方向に沿って長手に設けられるラインヘッドであっても良い。ラインヘッドの場合であっても、上述の実施の形態と同様に、筐体２０の内部で詰まった記録用紙Ｐの除去を行う際にインクチューブ５０が邪魔にならず、記録装置１０のメンテナンス性を向上させることが可能となる。
【００８７】
（４−３）変形例その３
また、上述の実施の形態における図面では、インクチューブ５０は、４本のチューブ部分５１を有するものが示されていて、かかる４本のチューブ部分５１は、シアン、マゼンタ、イエロー、ブラックの４色に対応したものとなっている。しかしながら、インクチューブ５０におけるチューブ部分５１の本数は４本に限られるものではなく、３本以上（３本の場合にはシアン、マゼンタ、イエローの３色に対応））であれば何本あっても良い。また、たとえばライトシアン、ライとマゼンタ、ライトイエロー、ライトグレー等のようなインクを供給するためのチューブ部分５１が設けられる構成を採用しても良い。
【００８８】
なお、１色のインクに、１個のチューブ部分５１が対応していることが好ましいが、１色のインクに、並列に設けられた２本以上のチューブ部分５１が対応して、同時に２本以上のチューブ部分５１にてある１色のインクを供給するようにしても良い。
【００８９】
（４−４）変形例その４
また、上述の実施の形態において、記録装置１０の概念には、インク以外の他の液体（液体そのものや、機能材料の粒子が液体に分散又は混合されてなる液状体、ゲルのような流動性を有する材質を含む）を噴射したり噴射したりする流体噴射装置を含むようにすることもできる。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【００９０】
（４−５）変形例その５
さらに、本発明の記録装置１０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【００９１】
１０…記録装置、１１…プリンターユニット、１２…スキャナーユニット（開閉カバーの一例に対応）、２０…筐体、２１…開口部分、２２…天板、２３…開口部、２３ａ…内壁部、３０…開閉カバー、３０ａ…裏面、３１…回動部材、３２…筐体部分、３３…内方突出部、４０…キャリッジ機構、４１…キャリッジ、４２…キャリッジ軸、４３…記録ヘッド、４４…ベルト、４５…従動プーリー、５０…インクチューブ、５１…チューブ部分、６０…外部タンク、７０…支持部材、７０Ａ…掛け止め部材、７０Ｂ…固定部材、７１…空間部分、８０…給紙装置、８１…給紙トレイ、８２…分離ローラー、８３…ガイド部材、８３ａ…固定ガイド部材、８３ｂ…可動ガイド部材、８４…ガイド溝、８５…異物受け部材、８６ａ…給紙ローラー、８６ｂ…給紙従動ローラー、８７…プラテン、８８…排紙ローラー対、８８ａ…排紙駆動ローラー、８８ｂ…排紙従動ローラー、５０１…湾曲部、５０２…延伸部、５０３…余裕部分（第１の余裕部分に対応）、５０４…余裕部分（第２の余裕部分に対応）、８１１…トレイ部材、ＡＰ…アダプター、Ｐ…記録用紙（記録媒体の一例に対応）、Ｓ１，Ｓ２…隙間部分
【図１】
2013202790.tif 000003
【図２】
2013202790.tif 000004
【図３】
2013202790.tif 000005
【図４】
2013202790.tif 000006
【図５】
2013202790.tif 000007
【図６】
2013202790.tif 000008
【図７】
2013202790.tif 000009
【図８】
2013202790.tif 000010
【図９】
2013202790.tif 000011
【図１０】
2013202790.tif 000012
【図１１】
2013202790.tif 000013
【図１２】
2013202790.tif 000014
【図１３】
2013202790.tif 000015
【図１４】
2013202790.tif 000016
【図１５】
2013202790.tif 000017
【図１６】
2013202790.tif 000018
【図１７】
2013202790.tif 000019